(57)【要約】      （修正有）【課題】複数の同時並行的な充電が行われても、使用電力が商用電源で供給し得る電力を越えないように配慮されて、点検ができる限り簡便かつ確実に行える充電ロッカー、および内部で発生する火災から収納物品が保護される消火充電ボックスを提供する。【解決手段】充電ロッカー１０１は、収納ボックス２〜９が備えられた本体ボックス１と、収納ボックス２〜９それぞれの内部に備えられた電源コンセントと、電源コンセントに電力を供給する電力供給手段と、電力供給手段による電源コンセントへの電力供給を遮断する電力供給遮断手段と、電力供給手段および電力供給遮断手段が収容されている電力供給ボックス６０とを有する。収納ボックス２〜９は、それぞれ施錠可能な前面扉１０を有し、電力供給ボックス６０が本体ボックス１の外表面１ａに固定されている。消火充電ボックスは、収納ボックス内に消火剤ボールを備える。【選択図】図１
0003233554.tif 000002
【実用新案登録請求の範囲】
【請求項１】
複数の収納ボックスが備えられた本体ボックスと、
前記収納ボックスそれぞれの内部に備えられた電源コンセント、バッテリー充電器または携帯電話機の充電プラグと、
前記電源コンセント、バッテリー充電器または携帯電話機の充電プラグに電力を供給する電力供給手段と、
該電力供給手段による前記電源コンセント、バッテリー充電器または携帯電話機の充電プラグへの電力供給を遮断する電力供給遮断手段と、
前記電力供給手段および電力供給遮断手段が収容されている電力供給ボックスとを有し、
前記収納ボックスは、それぞれ施錠可能な前面扉を有し、
前記電力供給ボックスが前記本体ボックスの外表面に固定されている充電ロッカー。
【請求項２】
前記電力供給ボックスが前記本体ボックスの外側上面に固定されている請求項１記載の充電ロッカー。
【請求項３】
電動工具用バッテリーの充電に用いる電動工具用充電器が前記収納ボックスのすべての内部に配置され、かつ前記電源コンセントに接続されている請求項１または２記載の充電ロッカー。
【請求項４】
上面パネル、底面パネル、対向する二つの側面パネルおよび背面パネルによって囲まれる収納部を有する本体ボックスと、
該本体ボックスの前面に配置されることによって前記収納部を閉鎖する横開閉式の開閉扉と、
前記背面パネルの前記収納部に臨む内背面部または前記側面パネルの前記収納部に臨む内側面部に設けられた電源コンセントと、
前記上面パネルの前記収納部に臨む内上面部に固定され、かつ消火剤が収納されている消火剤収納部とを有する消火充電ボックス。
【請求項５】
前記開閉扉は、前記本体ボックスの前面中央から前記二つの側面パネルに沿って左右両側に移動させて前記収納部を開放し、かつ前記二つの側面パネルに沿って前記本体ボックスの前面中央に移動させて前記収納部を閉鎖し得る二つの移動扉を有し、
該二つの移動扉は、前記収納部が閉鎖されているときに接面可能な延出部をそれぞれ有し、
該延出部は、連通可能に形成されている挿通孔がそれぞれ形成されている請求項４項記載の消火充電ボックス。
【請求項６】
前記二つの側面パネルよりも外側に張り出すように、前記底面パネルに固定されている固定金具を更に有し、
該固定金具は、前記側面パネルのそれぞれに沿って二つずつ形成され、かつそのそれぞれにボルト挿通孔が形成されている請求項４または５項記載の消火充電ボックス。
【請求項７】
前記固定金具に接続されている設置金具を更に有し、
該設置金具は、前記背面パネルよりも背面側に配置される掛け止めフックを有する請求項６項記載の消火充電ボックス。
【請求項８】
前記内背面部に固定されたセンサーライトを更に有する請求項４〜７のいずれか一項記載の消火充電ボックス。
【考案の詳細な説明】
【技術分野】
【０００１】
本考案は、施錠可能な防火扉を備え、内部に充電設備が備えられている充電ロッカーおよび充電設備とともに消火設備が内部に備えられている消火充電ボックスに関する。
【背景技術】
【０００２】
従来、施錠可能な収納ボックスを複数備え、各収納ボックスに充電設備が備えられているロッカー（充電ロッカーともいう）が知られている。また、防火扉による防災構造を備えた収納具も知られている。
【０００３】
例えば、充電ロッカーに関して、特許文献１、特許文献２には、施錠可能な開閉扉を有する収納ボックスの内部に充電器または携帯電話機の充電プラグを備え、その充電器または充電プラグを用いて電動アシスト自転車のバッテリーまたは携帯電話機を保管中に充電可能とした充電ロッカーが開示されている。
【０００４】
また、特許文献３には、施錠可能な開閉扉と、内部に設けられた電源コンセントとを備えた複数の収納ボックスと、金銭投入器とを備え、金銭投入器への投入金額に応じて、バッテリーが搭載されているノート型のパーソナルコンピュータやデジタルカメラといった小型電子機器を保管中に充電できる充電ロッカーが開示されている。収納具に関して、特許文献４には、直方体状の本体枠と折り曲げて開閉可能な防火扉とを備え、内部バッテリーからの電力供給を受けたモータの動作によってその防火扉が閉鎖する収納具が知られている。
【先行技術文献】
【特許文献】
【０００５】
【特許文献１】特開２０１３−６６３１５号公報
【特許文献２】特開平１１−１２６２７７号公報
【特許文献３】特開２００５−４３３８号公報
【特許文献４】特開平３−２６２１０号公報
【考案の概要】
【考案が解決しようとする課題】
【０００６】
前述した従来の充電ロッカーは、各収納ボックスが施錠可能であり、その内部に充電器、充電プラグまたは電源コンセントが備えられている。そのため、バッテリーが組み込まれている携帯電話機や、ノート型のパーソナルコンピュータ、デジタルカメラ等の小型電子機器、電動工具、またはそれらから取り外されたバッテリー、電動アシスト自転車のバッテリーなどを収納ボックスに収納して施錠することにより、盗難防止とともに保管中の充電が実現される。
【０００７】
収納ボックス内での充電が実現されるには、各ボックス内の充電設備のほかに各充電設備に電力を供給するための電力供給手段が必要であり、これには、複数の同時並行的な充電が行われても、使用される電力が商用電源で供給し得る電力を越えないようにする配慮も必要である。
【０００８】
しかし、従来の充電ロッカーでは、この点が考慮されていなかった。
また、充電設備や電力供給手段には、安全性確保のため定期的な点検が不可欠である。収納ボックスの設置数が増加するに伴い、供給を要する電力が増え、電力供給手段やブレーカ等の配線周りが複雑になるため、そのような場合にも点検ができる限り簡便かつ確実に行えることが望ましい。
【０００９】
しかし、従来の充電ロッカーでは、その点検が簡便かつ確実に行えるようにはなっていなかった。
【００１０】
一方、特許文献４に開示されている従来の収納具では、内部バッテリーが備えられている。そのため、従来の収納具にも従来の充電ロッカーのようにして充電設備を設けることによってその内部バッテリーが充電可能になれば、充電のために内部バッテリーを取り外して収納具の外に持ち出す作業が不要になるので、好ましい。
【００１１】
しかし、バッテリーは充電作業中に発火するおそれがある。この点、従来の収納具は防火扉を備え、その防火扉が正面側の鑑賞面を閉鎖するから、収納具の外側で発生する火災からは内部に収納されている物品が保護される。ところが、バッテリーの発火のような収納具の内部で発生する火災から、内部に収納されている物品が保護されることはなかった。
【００１２】
本考案は、上記課題を解決するためになされたもので、複数の同時並行的な充電が行われても、使用電力が商用電源で供給し得る電力を越えないように配慮されて、点検ができる限り簡便かつ確実に行える充電ロッカー、および内部に収納されている物品が内部で発生する火災から保護されるように構成された消火充電ボックスを提供することを目的とする。
【課題を解決するための手段】
【００１３】
上記課題を解決するため、本考案は、複数の収納ボックスが備えられた本体ボックスと、収納ボックスそれぞれの内部に備えられた電源コンセント、バッテリー充電器または携帯電話機の充電プラグと、電源コンセント、バッテリー充電器または携帯電話機の充電プラグに電力を供給する電力供給手段と、その電力供給手段による電源コンセント、バッテリー充電器または携帯電話機の充電プラグへの電力供給を遮断する電力供給遮断手段と、電力供給手段および電力供給遮断手段が収容されている電力供給ボックスとを有し、収納ボックスは、それぞれ施錠可能な前面扉を有し、電力供給ボックスが本体ボックスの外表面に固定されている充電ロッカーを提供する。
【００１４】
上記充電ロッカーにおいて、電力供給ボックスが本体ボックスの外側上面に固定されていることが好ましい。
【００１５】
また、上記充電ロッカーにおいて、電動工具用バッテリーの充電に用いる電動工具用充電器が収納ボックスのすべての内部に配置され、かつ電源コンセントに接続されていることが好ましい。
【００１６】
また、本考案は、上面パネル、底面パネル、対向する二つの側面パネルおよび背面パネルによって囲まれる収納部を有する本体ボックスと、その本体ボックスの前面に配置されることによって収納部を閉鎖する横開閉式の開閉扉と、背面パネルの収納部に臨む内背面部または側面パネルの収納部に臨む内側面部に設けられた電源コンセントと、上面パネルの収納部に臨む内上面部に固定され、かつ消火剤が収納されている消火剤収納部とを有する消火充電ボックスを提供する。
【００１７】
上記消火充電ボックスにおいて、開閉扉は、本体ボックスの前面中央から二つの側面パネルに沿って左右両側に移動させて収納部を開放し、かつ二つの側面パネルに沿って本体ボックスの前面中央に移動させて収納部を閉鎖し得る二つの移動扉を有し、その二つの移動扉は、収納部が閉鎖されているときに接面可能な延出部をそれぞれ有し、その延出部は、連通可能に形成されている挿通孔がそれぞれ形成されているようにすることができる。
【００１８】
さらに、上記消火充電ボックスにおいて、二つの側面パネルよりも外側に張り出すように、底面パネルに固定されている固定金具を更に有し、その固定金具は、側面パネルのそれぞれに沿って二つずつ形成され、かつそのそれぞれにボルト挿通孔が形成されているようにすることが好ましい。
【００１９】
また、固定金具に接続されている設置金具を更に有し、その設置金具は、背面パネルよりも背面側に配置される掛け止めフックを有することが好ましい。
【００２０】
さらに、上記消火充電ボックスにおいて、内背面部に固定されたセンサーライトを更に有することが好ましい。
【考案の効果】
【００２１】
以上詳述したように、本考案によれば、複数の同時並行的な充電が行われても、使用電力が商用電源で供給し得る電力を越えないように配慮されて、点検ができる限り簡便かつ確実に行える充電ロッカー、および内部に収納されている物品が内部で発生する火災から保護されるように構成された消火充電ボックスが得られる。
【図面の簡単な説明】
【００２２】
【図１】本考案の第１の実施の形態に係る充電ロッカーの正面図である。
【図２】同じく、各収納ボックスの前面扉を省略したうえで、要部を図示した正面図である。
【図３】図１の充電ロッカーの最上ボックス段部の右端に配置されている収納ボックスおよびその周辺につき、前面扉を開放して示した斜視図である。
【図４】電力供給ボックスの要部を示した平面図である。
【図５】図１の充電ロッカーの要部を示した背面図である。
【図６】本考案の第２の実施の形態に係る消火充電ボックスの移動扉の開放状態を示す正面図である。
【図７】同じく、移動扉が一部閉鎖されている状態を示す正面図である。
【図８】図６の消火充電ボックスの背面図である。
【図９】図６の消火充電ボックスの右斜め後方からみた一部省略した背面図である。
【図１０】図６の消火充電ボックスの設置金具が接続されている状態を示す右斜め後方からみた一部省略した背面図である。
【図１１】図６の消火充電ボックスの内部に電動工具用充電器二台が収納されている状態につき、開閉扉の開放状態で示す正面図である。
【図１２】図１０の消火充電ボックスが足場に吊り下げ状態で設置されている状態をその足場とともに示す背面図である。
【図１３】開閉扉が全面閉鎖されている状態において、消火剤ボールから消火剤が噴出した場合を模式的に示す正面図である。
【考案を実施するための形態】
【００２３】
以下、本考案の実施の形態について図面を参照しつつ説明する。なお、同一要素には同一符号を用い、重複する説明は省略する。
【００２４】
（第１の実施の形態）
本考案の第１の実施の形態に係る充電ロッカー１０１について、図１〜図５を参照して説明する。ここで、図１は、本考案の第１の実施の形態に係る充電ロッカー１０１の正面図である。図２は、各収納ボックス２〜９の前面扉１０を省略したうえで、要部を図示した正面図である。図３は、充電ロッカー１０１の最上ボックス段部２１の右端に配置されている収納ボックス２Ｃおよびその周辺につき、前面扉１０を開放して示した斜視図である。図４は、電力供給ボックス６０の要部を示した平面図、図５は、充電ロッカー１０１の要部を示した背面図である。
【００２５】
本考案の実施の形態に係る充電ロッカー１０１は、図１〜図３に示すように、本体ボックス１と、電力供給ボックス６０とを有している。本体ボックス１はスチール製の部材であり、電力供給ボックス６０はプラスチック製の部材である。本体ボックス１は、縦長の直方体であり、その外側上面１ａに電力供給ボックス６０が固定されている。
【００２６】
（本体ボックスの構成）
本体ボックス１は、複数の収納ボックス２（２Ａ，２Ｂ，２Ｃ），３（３Ａ，３Ｂ，３Ｃ），４（４Ａ，４Ｂ，４Ｃ），５（５Ａ，５Ｂ，５Ｃ），６（６Ａ，６Ｂ，６Ｃ），７（７Ａ，７Ｂ，７Ｃ），８（８Ａ，８Ｂ，８Ｃ），９（９Ａ，９Ｂ，９Ｃ）を有している。収納ボックス２〜９として、それぞれ水平方向に３つの収納ボックス（例えば、収納ボックス２であれば、正面から向かって左側から順に２Ａ，２Ｂ，２Ｃ）が配置されている。その水平方向に並んだ３つの収納ボックスによって、八つのボックス段部２１，２２，２３，２４，２５，２６，２７，２８が構成されている。八つのボックス段部２１，２２，２３，２４，２５，２６，２７，２８が垂直方向に重なっているので、本体ボックス１は段部積層構造を有している。ボックス段部２１〜２８のそれぞれに三つの収納ボックスが配置されているので、本体ボックス１には、合計で２４個の収納ボックス２〜９が備えられている。
【００２７】
そして、電力供給ボックス６０から下段に向かって順にボックス段部２１〜２８が配置されている。ボックス段部２１が最上段に配置されているため最上ボックス段部に相当する。ボックス段部２８が最下段に配置されているため最下ボックス段部に相当する。
【００２８】
本体ボックス１は、図２、図５に示すように、直方体状の外側フレームの内側に複数の仕切板１２と棚板１３とが固定されることによって内側の空間が区切られている。それによって、上述の収納ボックス２〜９が形成されている。また、図５に示すように、その背面１Ａに後述するカバー体５１と、コネクタ３９が接続されている。
【００２９】
図１，図３に示すように、各収納ボックス２〜９は、施錠可能な防火扉としての前面扉１０を有している。その前面扉１０には、施錠部１１が設けられている。施錠部１１は、４桁のナンバーロック１１ａと、施錠開錠つまみ１１ｂとが設けられている。ナンバーロック１１ａは暗証番号の設定および解除、施錠開錠つまみ１１ｂは、前面扉１０の施錠、開錠に用いられる。
【００３０】
図３に示すように、各収納ボックス２〜９は、内側背面１４，内側側面１５，内側底面１５ｂ、内側上面１６によって囲まれている収納空間を有している。そのすべての収納ボックス２〜９において、充電設備としての電源コンセント１９がその内側背面１４に固定されている。また、充電設備としての電動工具用充電器３０が内側底面１５ｂ上に配置されている。電動工具用充電器３０の電源コード３１が電源コンセント１９に差し込まれている。電動工具用充電器３０はバッテリー装着部３０ａを有している。
【００３１】
（電力供給ボックスの構成）
電力供給ボックス６０は、本体ボックス１よりも大きさの小さい横長の直方体である。図２に示すように、電力供給ボックス６０は、本体部６１と、開閉蓋６２とを有している。
【００３２】
図４に示すように、本体部６１には、接続部４４と、メインブレーカ４５と、漏電ブレーカ４６，４７，４８，４９とが収容され、いずれも本体部６１の底部に固定されている。
【００３３】
接続部４４には、その入力側に図示しない単相三線式の商用電源が接続されている。出力側がメインブレーカ４５の電源側端子４５ｆに接続されている。
【００３４】
メインブレーカ４５は、定格電流６０アンペアのサーキットブレーカ（単相三線式中性線の欠損による過電圧から負荷機器を保護する機能を有する）である。メインブレーカ４５は、各収納ボックス２〜９に収納されている電源コンセント１９を通した電力供給が所定の容量を超えたときに、電源コンセント１９への電力供給を遮断するから、本考案における電力供給遮断手段に相当する。また、メインブレーカ４５、漏電ブレーカ４６，４７，４８，４９を介して、電源コンセント１９への電力供給が行われるので、メインブレーカ４５、漏電ブレーカ４６，４７，４８，４９は本考案における電力供給手段に相当する。
【００３５】
メインブレーカ４５には、過電圧によるトリップ入力線４３ｂが接続され、電源側端子４５ｆが接続ケーブルを介して接続部４４に接続されている。また、負荷側端子４５ａと負荷側端子４５ｂとに単相２００ｖの負荷がかかり、負荷側端子４５ａと負荷側端子４５ｄ、負荷側端子４５ｂと負荷側端子４５ｄとに単相１００ｖの負荷がかかるように、漏電ブレーカ４６，４７，４８，４９が接続されている。
【００３６】
そして、漏電ブレーカ４６，４７，４８，４９は定格電流２０アンペアであり、そのそれぞれに対して、ボックス段部２１〜２８が二段ずつ割り当てられている。ボックス段部２１〜２８のそれぞれに三つの電源コンセント１９（三つの収納ボックスがあるため）が配置されているので、漏電ブレーカ４６，４７，４８，４９のそれぞれに六個の電源コンセント１９が割り当てられて、各電源コンセント１９につながる４系統（各系統につき六個）のケーブル５０が接続されている。
【００３７】
そして、図５に示すように、ケーブル５０は、本体ボックス１の背面１Ａに固定されているカバー体５１内を通過してコネクタ３９に接続されている。各系統のケーブル５０に六つのコネクタ３９（ボックス段部２１〜２８の二段分の電源コンセント１９に接続されている）が接続されている。
【００３８】
（充電ロッカー１０１の動作内容、作用効果）
充電ロッカー１０１は、例えば、駐輪場、高層ビルや高層マンション等の工事現場、宿泊施設、商業施設、駅構内、空港等に設置して使用される。このとき、図示しない単相三線式の商用電源が接続部４４に接続された状態で使用される。
【００３９】
接続部４４からメインブレーカ４５、漏電ブレーカ４６，４７，４８，４９を介して各収納ボックス２〜９の電源コンセント１９に電力供給が行われる。漏電ブレーカ４６，４７，４８，４９の定格電流が２０アンペアなので、一系統（電源コンセント１９の六個分）につき、最大２０アンペアまで使用できる。最大２０アンペアが四系統あるので、メインブレーカとしては８０アンペアを要することになるが、各収納ボックス２〜９における使用率（収納ボックス２〜９全体の中で電源コンセント１９が使用されている割合）を考慮して、メインブレーカ４５につき、定格電流６０アンペアとされている。
【００４０】
一方、各収納ボックス２〜９には電源コンセント１９が設置されており、その電源コンセント１９に電動工具用充電器３０が接続されている。そのため、前面扉１０を開けて収納ボックス２〜９内において、電動工具用充電器３０のバッテリー装着部３０ａに電動工具用バッテリー（図示せず）を装着することによって、その電動工具用バッテリーに充電することができる。また、電源コンセント１９から電動工具用充電器３０を外して各収納ボックス２〜９の外に持ち出し、代わりにノート型のパーソナルコンピュータ、デジタルカメラ等の小型電子機器を収納し、それぞれの電源ケーブルを電源コンセント１９に接続することもできる。こうすると、小型電子機器に装着されているバッテリーに充電することもできる。それから、前面扉１０を閉めて、暗証番号を設定すれば収納ボックス２〜９が施錠可能であるから、小型電子機器やバッテリー保管中の充電が実現され、なおかつそれらの盗難防止にもなる。
【００４１】
そして、充電ロッカー１０１は、本体ボックス１とは別に電力供給ボックス６０を有し、その電力供給ボックス６０の中にメインブレーカ４５と、漏電ブレーカ４６，４７，４８，４９とが収容されている。これらに四系統のケーブル５０が接続され、その各系統につき六個の電源コンセント１９が割り当てられている。漏電ブレーカ４６，４７，４８，４９は定格電流２０アンペアであるから、充電ロッカー１０１では、一系統（六個の電源コンセント１９）につき、利用できる電力の容量に最大２０アンペアまで、という上限が設定されている。また、漏電ブレーカ４６，４７，４８，４９に定格電流６０アンペアのメインブレーカ４５が接続されている。そのため、充電ロッカー１０１では、収納ボックス２〜９の全体で２４個の収納ボックスがあるため、２４個すべての収納ボックスで同時並行的な充電が行われる可能性もあるが、その場合でも、使用される電力が商用電源で供給し得る電力を越えないようにする配慮がなされた構成を有している。
【００４２】
なお、充電ロッカー１０１では、収納ボックス２〜９における使用率を考慮して、メインブレーカ４５の定格電流が６０アンペアに設定されているが、使用率が高くなる場合を考慮して、メインブレーカ４５として、定格電流が６０アンペアよりも大きいサーキットブレーカが用いられてもよい。
【００４３】
充電ロッカー１０１では、電力供給に係るメインブレーカ４５と、漏電ブレーカ４６，４７，４８，４９とが電力供給ボックス６０の中に収容されて、一まとめにされているから、充電設備に関する定期的な点検作業が簡便かつ確実に行える。また、その電力供給ボックス６０が本体ボックス１の外側上面１ａに固定され、その電力供給ボックス６０が点検作業を行いやすい場所に配置されているので、点検作業がより簡便かつ確実に行える。
【００４４】
（第２の実施の形態）
本考案の第２の実施の形態に係る消火充電ボックス２００について、図６〜図１０を参照して説明する。ここで、図６は、本考案の第２の実施の形態に係る消火充電ボックス２００の移動扉２０９，２１０の開放状態を示す正面図、図７は、消火充電ボックス２００の移動扉２０９，２１０が一部閉鎖されている状態を示す正面図である。図８は、消火充電ボックス２００の背面図、図９は消火充電ボックス２００の右斜め後方からみた一部省略した背面図である。図１０は、消火充電ボックス２００の設置金具２３３が接続されている状態を示す右斜め後方からみた一部省略した背面図である。
【００４５】
本考案の実施の形態に係る消火充電ボックス２００は、図６〜図１０に示すように、本体ボックス２０１と、開閉扉２０８とを有している。本体ボックス２０１と、開閉扉２０８とは、どちらもポリプロピレン等の樹脂で形成されている部材である。本体ボックス２０１は、横長の概ね直方体状に形成されており、その前面（後述する収納部２１１の手前側）から側面（側面パネル２０４，２０５）までをスライドしながら移動する横開閉式の開閉扉２０８（移動扉２０９，２１０）が配置されている。
【００４６】
本体ボックス２０１は、上面パネル２０２、底面パネル２０３，二つの側面パネル２０４，２０５および背面パネル２０６を有し、それらによって囲まれる収納部２１１を有している。
【００４７】
上面パネル２０２、底面パネル２０３は、厚肉板状の部材であって、それぞれ内上面部２０２ａ、内底面部２０３ａを有している。内上面部２０２ａ、内底面部２０３ａは、矩形状の平坦面であって、後述する内側面部２０４ａ、２０５ａ、内背面部２０６ａとともに収納部２１１に臨み、収納部２１１を取り囲んでいる。また、内上面部２０２ａ、内底面部２０３ａは、溝部２０２ｂ、２０３ｂを有している。溝部２０２ｂ、２０３ｂは、内上面部２０２ａ、内底面部２０３ａの手前側の幅方向全体に渡り、平面視直線上に形成されている。溝部２０２ｂ、２０３ｂには、開閉扉２０８（詳しくは後述する移動扉２０９，２１０）のそれぞれ上端部、下端部が嵌め込まれている。
【００４８】
そして、内上面部２０２ａには、消火剤収納部２２０が固定されている。消火剤収納部２２０は、ボール状の消火剤ボール２２０ａと、その消火剤ボール２２０ａを支持しつつ内上面部２０２ａに固定されている支持部２２０ｂとを有している。消火剤収納部２２０は、消火剤ボール２２０ａが支持部２２０ｂよりも下方に向けて張り出すようにして、内上面部２０２ａに固定されている。消火剤ボール２２０ａはポリ塩化ビニル等からなる外装フィルムの内側に粉末消火剤が収納されている。火が触れたときにその外装フィルムが破裂して、中の粉末消火剤が散布され、それによって消火が実現される。
【００４９】
側面パネル２０４，２０５はそれぞれ内側面部２０４ａ、２０５ａを有し、その内側面部２０４ａ、２０５ａが収納部２１１を挟んで対向するように配置されている。内側面部２０４ａ、２０５ａは、矩形状の平坦面であって、それぞれ電源コンセント２２１，２２２が設けられている。また、側面パネル２０４，２０５の外側に、開閉扉２０８が開放状態で配置されるスペースが確保されている。
【００５０】
背面パネル２０６は、内背面部２０６ａを有している。内背面部２０６ａは矩形状の平坦面であって、電源コンセント２２３，センサーライト２２４，漏電ブレーカ２２５が設けられている。センサーライト２２４は人感センサーと、その人感センサーが人を検知したときに発光するライトとを有している。漏電ブレーカ２２５は、定格電流２０アンペアであって、電源コンセント２２１，２２２、２２３、センサーライト２２４に接続され、これらで使用される電力が許容範囲を超えたときにこれらへの電力供給を遮断する。
【００５１】
開閉扉２０８は、二つの移動扉２０９，２１０を有している。移動扉２０９，２１０は、それぞれ巻き取り可能に構成されたいわゆるシャッター式と呼ばれる構造を有している。また、図７に示すように、移動扉２０９，２１０は、それぞれ複数の短冊状板部材２０９ｄ、２１０ｄを有し、その各短冊状板部材２０９ｄ、２１０ｄの隣接するもの同士がヒンジ部２０９ｅ、２１０ｅによって連結されている。
【００５２】
移動扉２０９，２１０は、シャッター式と呼ばれる構造を有しているため、本体ボックス２０１の前面中央からそれぞれ側面パネル２０４，２０５に沿って左右両側に移動させることができる。また、左右両側から本体ボックス２０１の前面中央まで移動させることもできる。このように移動扉２０９，２１０を動かすことによって、収納部２１１を開放することができ、かつ閉鎖することができる。
【００５３】
図６，図７に示すように、短冊状板部材２０９ｄ、２１０ｄのうち、最も前面中央よりの短冊状板部材２０９ｄａ、２１０ｄａに指掛け部２０９ａ、２１０ａが形成されている。また、短冊状板部材２０９ｄａ、２１０ｄａは、収納部２１１が閉鎖されているときに接面可能な延出部２０９ｂ、２１０ｂをそれぞれ有している。その延出部２０９ｂ、２１０ｂには、挿通孔２０９ｂｂ、２１０ｂｂがそれぞれ連通可能に形成されている。
【００５４】
そして、図８，図９、図１０に示すように、消火充電ボックス２００の背面パネル２０６から商用電源に接続される電源コード２３１が導出されており、その導出部分に電源カバー２３０が形成されている。また、底面パネル２０３には固定金具２３２が固定されている。固定金具２３２は、側面パネル２０４，２０５のそれぞれよりも外側に張り出すように形成されている。固定金具２３２は、側面パネル２０４，２０５に沿ってそれぞれ二つずつ形成されている。固定金具２３２には、ボルト挿通孔２３２ａが形成されている。
【００５５】
また、消火充電ボックス２００は、設置金具２３３を有している。設置金具２３３は、短冊状の平板部２３３ａを有し、その平板部２３３ａの背面側先端部に、板状の起立板部２３３ｂが起立した状態で接続されて、全体として、側面視概ねＬ字状に形成されている。図１０に示すように、平板部２３３ａが図示しないボルトの挿通によって固定金具２３２、２３２に接続されると、起立板部２３３ｂが背面パネル２０６に沿って立ち上がり、その先端部の掛け止めフック２３３ｄが背面パネル２０６よりも背面側であって、上面パネル２０２の近くに配置される。
【００５６】
以上の構成を有する消火充電ボックス２００は、電源コード２３１を図示しない商用電源に接続して使用される。すると、電源コード２３１から漏電ブレーカ２２５を介して電源コンセント２２１，２２２、２２３、センサーライト２２４に電力が供給される。
【００５７】
そして、図１１に示すように、移動扉２０９，２１０を前面中央からそれぞれ側面パネル２０４，２０５に沿って左右両側に移動させたときに収納部２１１が全面開放状態となる。すると、収納部２１１に臨む内底面部２０３ａが現れるので、そこに電動工具用充電器２４１，２４２を配置することができ、そのそれぞれに電動工具用バッテリー（図示せず）を装着することができる。それら電動工具用充電器２４１，２４２が電源コンセント２２３に接続されると、電力が供給され、電動工具用バッテリーの充電が実現される。
【００５８】
この場合において、消火充電ボックス２００は、センサーライト２２４を有している、そのセンサーライト２２４にも電力が供給されている。そのため、バッテリーの装着、取り外し等の作業が夜間に屋外で行われたとしても、センサーライト２２４の人感センサーが人の存在を感知してライトが発光するから、収納部２１１が明るく照らし出される。したがって、消火充電ボックス２００は、屋外に配置されていても作業が確実に行えるから、屋外配置にも適している。
【００５９】
そして、移動扉２０９，２１０につき、図7に示されている短冊状板部材２０９ｄａ、２１０ｄａの指掛け部２０９ａ、２１０ａに指をかけるなどして、移動扉２０９，２１０を前面中央に向けて短冊状板部材２０９ｄａ、２１０ｄａが接するまで移動させると、収納部２１１を閉鎖することができる。その場合、延出部２０９ｂ、２１０ｂが接面するので、それぞれの挿通孔２０９ｂｂ、２１０ｂｂが連通する状態になる。それから、図１３に示すようにして、そこに南京錠２４４を通して施錠すれば、移動扉２０９，２１０が施錠される。そのため、消火充電ボックス２００によって、収納部２１１に収納されている電動工具用充電器２４１，２４２や、電動工具用バッテリーといった物品の盗難防止が実現される。
【００６０】
しかしながら、収納部２１１で何らかの原因で発火が発生するおそれがある。例えば、電動工具用充電器２４１，２４２によって、電動工具用バッテリーが充電されている場合において、その電動工具用バッテリーがメーカー品ではない非純正品の場合には、電動工具用バッテリーの劣化や過充電による発火が発生しやすい。その発火が原因で火災が発生するおそれもある。
【００６１】
そのときに備え、消火充電ボックス２００には、消火剤収納部２２０が設けられている。消火剤収納部２２０は、粉末消火剤入りの消火剤ボール２２０ａを有している。そのため、収納部２１１の中で発火が発生したときに、図１３に示すように、消火剤ボール２２０ａの外装フィルムが破裂して、その中に収納されている粉末消火剤２４７が散布される。それによって、その発火が消し止められ、消火が実現される。したがって、消火充電ボックス２００では、バッテリーの劣化や過充電等による発火が発生しても、それが原因となった火災が発生するおそれがないから、内部に収納されている電動工具用充電器２４１，２４２等の物品が外部での火災はもちろん、内部で発生する火災からも保護される。
【００６２】
一方、消火充電ボックス２００は、固定金具２３２、設置金具２３３を有しているので、所望の場所に設置することができる。例えば、図１２に示すように、鉄パイプ２５１，２５２，２５３，２５４が組み上げられた足場２５０が工事現場に設置されている場合において、そのうちの鉄パイプ２５２に掛け止めフック２３３ｄを引っかけることができる。そうすることで、消火充電ボックス２００は、所望の場所に設置することができる。また、掛け止めフック２３３ｄを別の場所に引っかけることが簡単に行えるから、消火充電ボックス２００の設置場所を容易に変更することもできる。
【００６３】
（そのほかの変形例）
充電ロッカー１０１では、電力供給ボックス６０が本体ボックス１の外側上面１ａに固定されているが、電力供給ボックス６０がそれとは別の場所（例えば、本体ボックス１の側面上部）に固定されていてもよい。また、充電ロッカー１０１では、充電設備として電源コンセント１９が備えられていたが、これらの代わりに携帯電話機の充電プラグ、バッテリー充電器（ともに図示せず）が備えられてもよい。その場合、各収納ボックス２〜９のすべてに同じ電源コンセント１９が備えられる代わりに、収納ボックスごとに異なる充電設備が備えられてもよい。例えば、ボックス段部２１〜２４の収納ボックスには電源コンセント１９、ボックス段部２５〜２７の収納ボックスにはバッテリー充電器、ボックス段部２８の収納ボックスには充電プラグが備えられてもよい。
【産業上の利用可能性】
【００６４】
本考案を適用することにより、複数の同時並行的な充電が行われても、使用電力が商用電源で供給し得る電力を越えないように配慮されて、点検ができる限り簡便かつ確実に行える充電ロッカー、および内部に収納されている物品が内部で発生する火災から保護されるように構成された消火充電ボックスが得られる。本考案は、充電ロッカーおよび消火充電ボックスの分野で利用することができる。
【符号の説明】
【００６５】
１，２０１…本体ボックス、２，３，４，５，６，７，８，９…収納ボックス、１０…前面扉、１５…内側側面、１６…内側上面、１９，２２１，２２２，２２３…電源コンセント，２１，２２，２３，２４，２５，２６，２７，２８…ボックス段部，３０…電動工具用充電器，４５…メインブレーカ，６０…電力供給ボックス，１０１…充電ロッカー，２００…消火充電ボックス，２０２…上面パネル，２０２ａ…内上面部，２０３…底面パネル，２０３ａ…内底面部，２０４，２０５…側面パネル，２０４ａ，２０５ａ…内側面部，２０６…背面パネル，２０６ａ…内背面部，２０８…開閉扉，２０９，２１０…移動扉，２１１…収納部,２２０…消火剤収納部,２２４…センサーライト，２３２…固定金具，２３２ａ…ボルト挿通孔，２３３…設置金具，２３３ｄ…掛け止めフック。
【図１】
0003233554.tif 000003
【図２】
0003233554.tif 000004
【図３】
0003233554.tif 000005
【図４】
0003233554.tif 000006
【図５】
0003233554.tif 000007
【図６】
0003233554.tif 000008
【図７】
0003233554.tif 000009
【図８】
0003233554.tif 000010
【図９】
0003233554.tif 000011
【図１０】
0003233554.tif 000012
【図１１】
0003233554.tif 000013
【図１２】
0003233554.tif 000014
【図１３】
0003233554.tif 000015